(57)【要約】    【課題】      電車の中又は映画館などの音を出すのが憚られる場所においても安心して使用することができる機器の使用制限システムを提供すること。    【解決手段】  無線認証部１２０は、無線通信ユニット１１０からの識別コード信号の受信レベルが前記所定値以下となった時には、制御部１２５に対する使用制限解除信号の送信を停止し、無線通信ユニットに対する確認コード信号の送信を停止する。無線通信ユニット１１０は、無線認証部１２０からの前記確認コード信号を受けなくなった時に警報を通知する。無線認証部１２０は、対象機器が着信を通知するための音を発生しないマナーモードに設定された時に前記マナーモードに設定されたことを示す設定マナーモード通知信号を生成して無線通信ユニット１１０に送信する。無線通信ユニット１１０は、前記設定マナーモード通知信号を受けた時に前記警報を音で通知しないで振動又は光で通知するマナーモードに設定する。  【選択図】      図１
2007020012.tif 000002
【特許請求の範囲】
【請求項１】
第１の送信器と第１の受信器とを有し前記第１の送信器が識別コード信号を一定の強度で送信する無線通信ユニットと、
対象機器に付設され第２の受信器と第２の送信器とを有する無線認証部と、を具備し、
前記無線認証部は、前記無線通信ユニットからの前記識別コード信号が自己のものである場合に前記第２の送信器が前記識別コード信号を受けたことを示す確認コード信号を一定の強度で送信すると共に前記識別コード信号の受信レベルが所定値より大きい時に使用制限を解除する使用制限解除信号を前記対象機器に送信し、かつ、前記識別コード信号の受信レベルが前記所定値以下となった時に前記使用制限解除信号の送信を停止し、
前記無線通信ユニットは、前記無線認証部からの前記確認コード信号を受けなくなった時に警報を通知する機器の使用制限システムにおいて、
前記対象機器が着信を通知するための音を発生する通常モードに設定された時に前記通常モードに設定されたことを示す設定通常モード通知信号を生成して前記無線通信ユニットに送信する手段と、
前記対象機器が着信を通知するための音を発生しないマナーモードに設定された時に前記マナーモードに設定されたことを示す設定マナーモード通知信号を生成して前記無線通信ユニットに送信する手段と、を具備し、
前記無線通信ユニットは、前記設定通常モード通知信号を受けた時に前記警報を音で通知する通常モードに設定する手段と、前記設定マナーモード通知信号を受けた時に前記警報を音で通知しないで振動又は光で通知するマナーモードに設定する手段と、を具備する機器の使用制限システム。
【請求項２】
前記対象機器がＯＦＦモードに設定された時にＯＦＦモード通知信号を生成して前記無線通信ユニットに送信する手段と、を具備し、
前記無線通信ユニットは、前記ＯＦＦモード通知信号を受けた時に前記警報を音で通知しなで振動又は光で通知するマナーモードに設定する手段と、を具備する請求項１に記載の機器の使用制限システム。
【請求項３】
前記無線通信ユニットの前記通常モード及び前記マナーモードを前記対象機器の表示装置に表示させる手段を具備する請求項１又は請求項２に記載の機器の使用制限システム。
【請求項４】
前記無線通信ユニットの前記通常モード及び前記マナーモードのいずれかが前記マナーモード及び前記通常モードのいずれかに変更されたことを前記対象機器のスピーカで音声によって通知させる手段を具備する請求項１から請求項３のいずれかに記載の機器の使用制限システム。
【請求項５】
前記無線通信ユニットの前記通常モード及び前記マナーモードを時刻に応じて変更するように設定する手段を具備する請求項１から請求項４のいずれかに記載の機器の使用制限システム。
【請求項６】
前記無線通信ユニットは、前記警報を通知するスピーカ、振動手段及び表示手段を具備し、前記警報をスピーカ、振動手段及び表示手段の少なくとも１つで通知することを選択する選択手段を具備する請求項１から請求項５のいずれかに記載の機器の使用制限システム。
【請求項７】
前記無線通信ユニットは、所定時間ごとに自己以外宛の受信信号の数を測定して受信信号数測定値を生成する受信信号数測定手段と、
前記受信信号数測定値が所定の数以上であるか否かを判断して判断結果を生成する受信混雑状況判断手段と、
前記受信信号数測定値が所定の数以上であることを示している時に前記マナーモードを設定するマナーモード設定手段と、
を具備する請求項１から請求項６のいずれかに記載の機器の使用制限システム。
【発明の詳細な説明】
【技術分野】
【０００１】
本発明は、携帯電話機などの各種の機器が置き忘れ又は盗難などにより無断使用をされることを防止する機器の使用制限システムに関する。
【背景技術】
【０００２】
従来の機器の使用制限システムとして、特許文献１に記載されたものがある。この従来の機器の使用制限システムは、第１の送信器と第１の受信器とを有し前記第１の送信器が識別コード信号を一定の強度で送信する無線通信ユニットと、対象機器に付設され第２の受信器と第２の送信器とを有する無線認証部と、を具備し、前記無線通信ユニットと前記無線認証部とが一定距離以上だけ離れた場合に前記無線認証部が対象機器の使用を不能とし、かつ、前記無線通信ユニットが警報を音で通知するものである。
【０００３】
すなわち、前記従来の機器の使用制限システムは、置き忘れ又は盗難などにより携帯電話機などの対象機器が所有者又は使用者の手元から離れると対象機器そのものの使用を不能にすると共に対象機器が一定距離以上だけ離れたことを音で警告するものである。  
【特許文献１】特許第２９３１２７６号公報
【発明の開示】
【発明が解決しようとする課題】
【０００４】
しかしながら、従来の機器の使用制限システムにおいては、無線通信ユニットと無線認証部とが一定距離以上だけ離れた場合に無線通信ユニットが警報を音で通知するため、電車の中又は映画館などの音を出すのが憚られる場所では使用し難いという問題がある。また、これを解決するために携帯電話などでは音を出さない設定(マナーモード)を行ったり、電源をＯＦＦにしたりするが、これを携帯電話と無線通信ユニットの各々で設定することは所有者の手を煩わせることになり、利便性を損なう恐れがある。
【０００５】
本発明の目的は、電車の中又は映画館などの音を出すのが憚られる場所においても安心して使用することができる機器の使用制限システムに関し、携帯電話の設定モードを変更したときに無線通信ユニットの警報通知方法も自動的に変更することで、所有者の利便性を高めた使用制限システムを提供することにある。
【課題を解決するための手段】
【０００６】
本発明は、第１の送信器と第１の受信器とを有し前記第１の送信器が識別コード信号を一定の強度で送信する無線通信ユニットと、対象機器に付設され第２の受信器と第２の送信器とを有する無線認証部と、を具備し、前記無線認証部は、前記無線通信ユニットからの前記識別コード信号が自己のものである場合に前記第２の送信器が前記識別コード信号を受けたことを示す確認コード信号を一定の強度で送信すると共に前記識別コード信号の受信レベルが所定値より大きい時に使用制限を解除する使用制限解除信号を前記対象機器に送信し、かつ、前記識別コード信号の受信レベルが前記所定値以下となった時に前記使用制限解除信号の送信を停止し、前記無線通信ユニットは、前記無線認証部からの前記確認コード信号を受けなくなった時に警報を通知する機器の使用制限システムにおいて、前記無線認証部は、前記対象機器が着信を通知するための音を発生する通常モードに設定された時に前記通常モードに設定されたことを示す設定通常モード通知信号を生成して前記無線通信ユニットに送信する手段と、前記対象機器が着信を通知するための音を発生しないマナーモードに設定された時に前記マナーモードに設定されたことを示す設定マナーモード通知信号を生成して前記無線通信ユニットに送信する手段と、を具備し、前記無線通信ユニットは、前記設定通常モード通知信号を受けた時に前記警報を音で通知する通常モードに設定する手段と、前記設定マナーモード通知信号を受けた時に前記警報を音で通知しないで振動又は光で通知するマナーモードに設定する手段と、を具備する構成を採る。
【発明の効果】
【０００７】
本発明によれば、無線認証部は対象機器が着信を通知するための音を発生しないマナーモードに設定された時に前記マナーモードに設定されたことを示す設定マナーモード通知信号を生成して無線通信ユニットに送信する手段を具備し、前記無線通信ユニットは前記設定マナーモード通知信号を受けた時に警報を音で通知しないで振動又は光で通知するマナーモードに設定する手段を具備するため、電車の中又は映画館などの音を出すのが憚られる場所においても機器の使用制限システムを安心して使用することができる。
【発明を実施するための最良の形態】
【０００８】
次に、本発明の実施の形態について、図面を参照して詳細に説明する。
【０００９】
（実施の形態１）
図１は、本発明の実施の形態１に係る機器の使用制限システムの構成を示すブロック図である。
【００１０】
図１に示すように、本発明の実施の形態１に係る機器の使用制限システム１００は、無線通信ユニット（キー通信ユニット）１１０及び無線認証部１２０と、を具備している。
【００１１】
無線認証部１２０は、対象機器の１つである携帯端末装置１３０の内部に一体的に付設されている。なお、無線認証部１２０は、携帯端末装置１３０の外側に付設されてもよい。
【００１２】
無線通信ユニット１１０は、無線認証部１２０及び携帯端末装置１３０とは分離されている。無線通信ユニット１１０は、キー又はカードなどの所有者にとって持ち運びに便利なもので構成されているが、特にその形態は限定されない。
【００１３】
携帯端末装置１３０は、従来の一般的なものであり、基地局を介して相手の通信装置と無線で通信を行うことが可能である。携帯端末装置１３０は、アンテナ１３１、送受信部１３２、制御部１３３、操作入力部１３４、スピーカ１３５、振動部１３６、表示部１３７、マイクロフォン１３８及び送信データ生成部１３９などを具備している。
【００１４】
アンテナ１３１は、相手の通信装置からの信号を基地局を介して受信して受信信号を生成して送受信部１３２に与える。送受信部１３２は、アンテナ１３１からの受信信号を受けて制御部１３３に与える。また、送受信部１３２は、送信信号をアンテナ１３１に与える。アンテナ１３１は、送受信部１３２からの送信信号を受けて無線の送信信号を生成して送信する。
【００１５】
操作入力部１３４は、テンキー及び操作キーを具備し、ユーザが操作信号を入力するためのものである。操作入力部１３４からの操作信号は、制御部１３３に与えられる。操作入力部１３４は、携帯端末装置１３０をＯＦＦモード、通常モード及びマナーモードなどを設定することが可能である。
【００１６】
ここで、ＯＦＦモードとは、携帯端末装置１３０における制御情報及び着信動作以外の通信動作が不可能なモードである。通常モードとは、着信を通知するためのスピーカ１３５を動作させて音で通知するモードである。マナーモードとは、着信を通知するための音を発生しないで、振動部１３６又は表示部１３７を動作させて着信を振動又は光で通知するモードである。
【００１７】
制御部２３３は、操作入力部１３４からの操作信号に基づいて、送受信部１３２、スピーカ１３５、振動部１３６、表示部１３７、マイクロフォン１３８及び送信データ生成部１３９などを制御する。
【００１８】
例えば、制御部１３３は、通常モードに設定されている時に、操作入力部１３４からの操作信号に基づいて、送受信部１３２からの着信信号をスピーカ１３５に与えて動作させて当該着信信号を示す音（音声）を発生させてユーザに通知させる。また、制御部１３３は、通常モードに設定されている時に、操作入力部１３４からの操作信号に基づいて、送受信部１３２からの制御情報及び着信信号以外の受信信号をスピーカ１３５に与えて受信信号に対応する音声を発生させてユーザに通知させる。
【００１９】
また、制御部１３３は、マナーモードに設定されている時に、操作入力部１３４からの操作信号に基づいて、着信を通知するための音を発生しないで、振動部１３６又は表示部１３７を動作させて着信を振動又は光で通知させる。また、制御部１３３は、操作入力部１３４からの操作信号に基づいて、マイクロフォン１３８からの信号を送受信部１３２に与えてアンテナ１３１を介して送信する。制御部１３３は、操作入力部１３４からの操作信号に基づいて、送信データ生成部１３９により生成された送信データを送受信部１３２に与えてアンテナ１３１を介して送信する。
【００２０】
無線通信ユニット１１０は、アンテナ１１１、無線認証部１１２、選択部１１３、警報通知部１１４及び電池１１５を具備している。無線認証部１１２は、送受信部１１２１、ＩＤ記憶部１１２２及び制御部１１２３を具備している。警報通知部１１４は、スピーカ１１４１、振動部１１４２及び表示部１１４３を具備している。電池１１５は、無線認証部１１２、選択部１１３及び警報通知部１１４に電力を供給するものである。
【００２１】
ＩＤ記憶部１１２２は、識別コード信号を予め記憶している。この識別コード信号は、無線通信ユニット１１０を特定する自己識別記号（ＩＤ）と、当該無線通信ユニット１１０と対応する携帯端末装置１３０を特定する相手方の識別記号とを有している。
【００２２】
制御部１１２３は、ＩＤ記憶部１１２２から識別コード信号を定期的に読み出してサーチ信号として送受信部１１２１及びアンテナ１１１を介して携帯端末装置１３０に付設された無線認証部１２０に一定の強度で送信する。送受信部１１２１は、携帯端末装置１３０に付設された無線認証部１２０からの情報をアンテナ１１１を介して受けて制御部１１２３に与える。サーチ信号（識別コード信号）は無線認証部１２０からの応答信号（確認コード信号）を受信するまで、定期的に送信される。
【００２３】
また、制御部１１２３は、携帯端末装置１３０に付設された無線認証部１２０から応答信号（確認コード信号）をアンテナ１１１及び送受信部１１２１を介して受けた時に、当該応答信号とＩＤ記憶部１１２２の識別コード信号と照合して当該応答信号が自己ものである場合に、制御部１１２３で生成された乱数を暗号化した認証信号（識別コード信号）を携帯端末装置１３０に付設された無線認証部１２０に一定の強度で送信する。これに対する無線認証部１２０からの認証信号（確認コード信号）を受信すると、前記認証信号（確認コード信号）に含まれる乱数と制御部１１２３で生成された乱数とを比較し、正しい相手からの認証信号（確認コード信号）かどうか判断する。この認証信号（確認コード信号）は、認証状態が継続している間、定期的に送信され、制御部１１２３で生成された乱数は毎回異なるものである。なお、前記認証信号（識別コード信号、確認コード信号）は、他の周知の方法で生成するようにしてもよい。
【００２４】
携帯端末装置１３０に付設された無線認証部１２０は、アンテナ１２１、送受信部１２２、設定モード記憶部１２３、ＩＤ記憶部１２４及び制御部１２５を具備している。
【００２５】
設定モード記憶部１２３は、ユーザが操作入力部１３４を用いて設定するＯＦＦモード、通常モード及びマナーモードなどの各設定モードに対する、無線通信ユニット１１０の警報通知部１１４の警報通知方法を制御部１３３、１２５の制御により記憶する。各設定モードに対する警報通知方法はあらかじめ決められていても良いし、ユーザが任意に設定しても良い。例えば、設定モード記憶部１２３は、図２に示すように、携帯端末装置１３０が通常モードに設定されている場合に無線通信ユニット１００の警報通知モードとして音モードを記憶する。また、設定モード記憶部１２３は、携帯端末装置１３０がマナーモードに設定されている場合に無線通信ユニット１００の警報通知モードとして振動モードを記憶する。また、設定モード記憶部１２３は、携帯端末装置１３０が電源がＯＦＦモードに設定されている場合に無線通信ユニット１００の警報通知モードとして光モードを記憶する。
【００２６】
携帯端末装置１３０の設定モードが変更されると、制御部１２５は、設定モード記憶部１２３に設定されているモードの情報をもとに制御信号を生成し、無線通信ユニット１１０からの認証信号（識別コード信号）に返信する際に、この制御信号を付加して送受信部１１２１及びアンテナ１１１を介して無線通信ユニット１１０に送信する。例えば、携帯端末装置１３０の設定モードを通常モードからマナーモードに変更すると、制御部１２５は、設定モード記憶部１２３に記憶されているマナーモード設定時の警報通知方法をもとに制御信号を生成し、認証信号（確認コード信号）に付加して無線通信ユニット１１０に送信する。
【００２７】
なお、上述の例では設定モードの変更時に制御信号を生成し、認証信号（確認コード信号）に付加するとしたが、認証信号を送信する際に常に現在の警報通知方法をもとに生成した制御信号を付加してもよい。また、認証信号（確認コード信号）と制御信号を別々に送信しても良い。
【００２８】
前記制御信号は、設定モード記憶部１２３に通常モードが記憶されている時には設定通常モード通知信号である。また、前記制御信号は、設定モード記憶部１２３にマナーモードが記憶されている時には設定マナーモード通知信号である。
【００２９】
また、制御部１２５は、設定モード記憶部１２３にＯＦＦモードが記憶されている時に、ＯＦＦモード通知信号を生成して無線通信ユニット１１０に送信する。
【００３０】
送受信部１２２は、無線通信ユニット１１０からの情報をアンテナ１１１を介して受けて制御部１２５に与える。
【００３１】
ＩＤ記憶部１２４は、識別コード信号を予め記憶している。この識別コード信号は、携帯端末装置１３０を特定する自己識別記号（ＩＤ）と、当該携帯端末装置１３０と対応する無線通信ユニット１１０を特定する相手方の識別記号とを有している。
【００３２】
制御部１２５は、無線通信ユニット１１０からサーチ信号（識別コード信号）を受けた時に当該サーチ信号とＩＤ記憶部の識別コード信号と照合して当該サーチ信号が自己のものである場合に当該サーチ信号を受けたことを示す応答信号（確認コード信号）を一定の強度で送信する。また、制御部１２５は、無線通信ユニット１１０から認証信号（識別コード信号）を受けた時に、当該認証信号（識別コード信号）を復号化し、生成した乱数を認証信号（確認コード信号）として返信する。ここで、当該認証信号（識別コード信号）の受信レベルが所定値より大きい時に使用制限を解除する使用制限解除信号を制御部１３３に送信し、無線通信ユニット１１０に対しては認証信号（確認コード信号）を送信する。また、前記認証信号（識別コード信号）の受信レベルが前記所定値以下となった時には、制御部１２５に対する使用制限解除信号の送信を停止し、無線通信ユニットに対する認証信号（確認コード信号）の送信を停止する。
【００３３】
無線通信ユニット１１０が使用制限解除信号を受けている時において、制御部１１２３は、無線認証部１２０からのモードの情報を受けた時には当該モードの情報に応じた選択信号を生成して選択部１１３に与える。この選択部１１２３は、制御部１１２３からの選択信号に基づいて警報通知部１１４のスピ−カ１１４１、振動部１１４２及び表示部１１４３のいずれかを選択する。
【００３４】
一方、制御部１３３は、無線認証部１２０からの使用制限解除信号を受けなくなった時に携帯端末装置１３０の使用を制限する、すなわち、携帯端末装置１３０の機能の一部または全ての使用を不可能とする。また、無線通信ユニット１１０は、携帯端末装置１３０に付設された無線認証部１２０からの認証信号（確認コード信号）を受けなくなった時に警報をユーザに通知する。この時に、無線通信ユニット１１０の制御部１１２３は、選択部１１２３に選択信号により選択した警報通知部１１４のスピ−カ１１４１、振動部１１４２及び表示部１１４３のいずれかを駆動させて警報をユーザに通知させる。
【００３５】
この場合に、携帯端末装置１３０がマナーモードに設定されている時には、無線通信ユニット１１０における警報通知部１１４がマナーモードに設定される、すなわち、振動部１１４２及び表示部１１４３のいずれかを駆動させて警報をユーザに通知させる。また、携帯端末装置１３０がＯＦＦモードに設定去れている時にも、無線通信ユニット１１０における警報通知部１１４がマナーモードに設定される、すなわち、振動部１１４２及び表示部１１４３のいずれかを駆動させて警報をユーザに通知させる。
【００３６】
なお、本発明の実施の形態１においては、無線通信ユニット１１０が通常モード及びマナーモードを携帯端末装置１３０の表示部１３７に表示するように構成してもよい。また、本発明の実施の形態１においては、無線通信ユニット１１０の通常モード及びマナーモードのいずれかがマナーモード及び通常モードに変更された時に携帯端末装置１３０のスピーカ１３５を駆動して音声で通知するように構成してもよい。
【００３７】
（実施の形態２）
次に、本発明の実施の形態２について、図面を参照して説明する。本発明の実施の形態２においては、本発明の実施の形態１と同じ構成要素には同じ参照符号が付されて、その説明が省略される。
【００３８】
図３は、本発明の実施の形態２に係る機器の使用制限システムにおけるモードの設定の動作を説明するための１例を示す図である。図４は、本発明の実施の形態２に係る機器の使用制限システムにおけるモードの設定の動作を説明するための他の例を示す図である。
【００３９】
本発明の実施の形態２に係る機器の使用制限システムは、図１に示す本発明の実施の形態１に係る機器の使用制限システム１００と同じ構成要素を具備している。本発明の実施の形態２に係る機器の使用制限システムは、図１に示す本発明の実施の形態１に係る機器の使用制限システム１００に対してモードの設定が異なる。
【００４０】
本発明の実施の形態２に係る機器の使用制限システムにおけるモードの設定の動作を図３及び図４を参照して説明する。
【００４１】
ユーザが操作入力部１３４を操作して警報通知の表示を選択した時には、携帯端末装置１３０の表示画面に図３（Ａ）に示すようにモード設定及び時間（時刻）設定とが表示される。ユーザが操作入力部を操作して表示画面の図３（Ａ）のモード設定を選択した時には、図３（Ｂ）のように通常モード、マナーモード及び電源ＯＦＦモードを選択できるように表示画面の表示が変わる。
【００４２】
この場合に、ユーザが操作入力部１３４を操作して図３（Ｂ）の通常モードを選択した時には、図３（Ｃ）のように音モード、振動モード、光モード及びＯＦＦモードの少なくとも１つを選択できるように表示画面の表示が変わる。
【００４３】
また、ユーザが操作入力部１３４を操作して図３（Ｂ）のマナーモードを選択した時には、音モード以外の振動モード及び光モードの少なくとも１つを選択できるように表示画面の表示が変わる。
【００４４】
また、ユーザが操作入力部１３４を操作して図３（Ｂ）の電源ＯＦＦモードを選択した時には、音モード以外の振動モード及び光モードの少なくとも１つを選択できるように表示画面の表示が変わる。
【００４５】
また、ユーザが操作入力部１３４を操作して警報通知の表示を選択した時には、携帯端末装置１３０の表示画面に図４（Ｄ）に示すようにモード設定及び時間設定とが表示される。ユーザが操作入力部を操作して表示画面の図４（Ｄ）の時間設定を選択した時には、図４（Ｅ）のようにスタートの時刻、ストップの時刻及び警報通知モードを入力できるように表示画面の表示が変わる。
【００４６】
ユーザが操作入力部１３４を操作して図３（Ｂ）及び（Ｃ）のいずれかのモードを選択し、又は、図４（Ｅ）の入力をした時には、選択又は入力された情報に基づいて、本発明の実施の形態２に係る機器の使用制限システムは動作する。
【００４７】
(実施の形態３)
次に、本発明の実施の形態３について、図面を参照して説明する。本発明の実施の形態３においては、本発明の実施の形態１と同じ構成要素には同じ参照符号が付されて、その説明が省略される。
【００４８】
図５は、本発明の実施の形態３に係る機器の使用制限システムの無線通信ユニットの構成を示すブロック図である。
【００４９】
図５に示すように、本発明の実施の形態３に係る機器の使用制限システム５００は、図１に示す本発明の実施の形態１に係る機器の使用制限システム１００において、無線通信ユニット１１０の無線認証部１１２の代わりに無線認証部５１０を具備するものである。
【００５０】
無線認証部５１０は、制御部１１２３の代わりに制御部５１１を有し、受信信号数測定部５１２及び受信混雑状況判断部５１３を追加してなる。すなわち、無線認証部５１０は、アンテナ１１１、送受信部１１２、ＩＤ記憶部１１２２、制御部５１１、受信信号数測定部５１２及び受信混雑状況判断部５１３を具備している。
【００５１】
受信信号数測定部５１２は、無線通信ユニット１１０が認証信号（識別コード信号）を送ってから無線認証部１２０からの認証信号（確認コード信号）が返ってくるまでの間、他の無線通信ユニットまたは他の携帯端末装置の無線認証部からの信号（自己以外宛の受信信号）を受信して、これらの自己以外宛の受信信号の数を計測して受信信号数計測値を生成して受信混雑状況判断部５１３に与える。
【００５２】
受信混雑状況判断部５１３は、受信信号数測定値が所定の数以上であるか否かを判断して判断結果を生成する。制御部５１１は、本発明の実施の形態１に係る制御部１１２３の動作の加えて、受信混雑状況判断部５１３から判断結果を受けた時の動作を実行する。
【００５３】
制御部５１１は、受信信号数測定値が所定の数以上であることを判断結果が示している時に、無線通信ユニット５１０の警報報知モードをマナーモードに設定して、設定マナーモード通知信号を生成して選択部１１３に与える。
【００５４】
受信信号数測定値が所定の数以上である時には、周囲にがたくさんいる場所、すなわち、音を出すことがはばかられる場所にいる時と判断して、無線通信ユニット１１０の警報報知モードをマナーモードに設定する。
【００５５】
次に、本発明の実施の形態１とは異なる本発明の実施の形態３に係る機器の使用制限システム５００における無線通信ユニット１１０のモードの設定の動作について、図６及び図７を参照して説明する。
【００５６】
図６は、本発明の実施の形態３に係る機器の使用制限システムにおける無線通信ユニット１１０のモードの設定の動作を説明するためのフロー図である。
【００５７】
無線通信ユニット１１０は、無線認証部１２０と認証状態にあるとき、無線認証部１２０に対して定期的に認証信号（識別コード信号）を送信し(ステップＳＴ１０１)、無線認証部１２０から認証信号（確認コード信号）が返ってくるのを待つ。無線通信ユニット１１０は、認証信号（確認コード信号）を受信すると(ステップＳＴ１０２)、この認証信号（確認コード信号）が正しい相手かどうかを、無線認証部１２０からの認証信号（確認コード信号）に含まれる乱数と、無線認証部１２０への認証信号（識別コード信号）生成時に生成した乱数とを制御部１１２３にて比較することで判断する、すなわち、自己宛の正規の相手からの認証信号（確認コード信号）であるかを判断する(ステップＳＴ１０３)。ここで、認証信号（確認コード信号）を受信したにもかかわらず、正しい乱数が生成されなかった場合には、他人の所有する無線通信ユニットまたは他人の所有する携帯端末装置に具備された無線認証部からの認証信号（確認コード信号）であるといえる。
【００５８】
ステップＳＴ１０３において受信した認証信号（確認コード信号）が他人からのものであった場合、受信信号数測定部５１２は、その数をカウントし(ステップＳＴ１０４)、再び認証信号（確認コード信号）を受信するのを待つ。
【００５９】
このようにして正規の認証信号（確認コード信号）を受信するまでの間、受信信号数測定部５１２は、他人からの認証信号（確認コード信号）の数（受信信号の数）をカウントする。無線通信ユニット５１０が正規の認証信号（確認コード信号）を受信すると（ステップＳＴ１０３：Ｙｅｓ）、受信混雑状況判断部５１３は、これまでに受信した他人からの認証信号（確認コード信号）数と所定の数とを比較し(ステップＳＴ１０５)、所定数未満であれば(ステップＳＴ１０５：Ｎｏ)、通常通り一定期間後に無線認証部１２０に対して認証信号（識別コード信号）を送信する(ステップＳＴ１０１)。
【００６０】
受信した他人からの認証信号（確認コード信号）数が所定数以上である場合(ステップＳＴ１０５：Ｙｅｓ)、他人がたくさんいる場所、すなわち音を出すことがはばかられる場所と判断して判断結果を制御部５１１に与える。制御部５１１は、受信した他人からの認証信号（確認コード信号）数が所定数以上であることを判断結果が示している時にマナーモードを設定する（ステップＳＴ１０６）。また、この時に、制御部５１１は、マナーモードに設定したことを示す制御信号を、次の認証信号（識別コード信号）を送信する時に当該認証信号（識別コード信号）に付加して送信する(ステップＳＴ１０７)。
【００６１】
次に、本発明の実施の形態１とは異なる本発明の実施の形態３に係る機器の使用制限システムにおける無線認証部１２０の動作について、図５及び図７を参照して説明する。
【００６２】
図７は、本発明の実施の形態１とは異なる本発明の実施の形態３に係る機器の使用制限システムにおける無線認証部１２０の動作を説明するためのフロー図である。
【００６３】
無線認証部１２０は、当該制御信号を付加した認証信号（識別コード信号）を受信した場合(ステップＳＴ２０１)、無線通信ユニット１１０のモード設定が音の出ないマナーモードに変更されたことを表示部１３７を用いて表示する(ステップＳＴ２０２)、また、制御部１２５は、携帯端末装置１３０の設定モードも音を出さないマナーモード（スピーカ１３５をＯＦＦ）に変更する（ステップＳＴ２０３）。制御部１２５は、マナーモードに変更後、携帯端末装置１３０の設定モードが変更されたことを表示部１３７を用いて表示する(ステップＳＴ２０４)。
【００６４】
以上の動作により、所有者が携帯端末装置１３０の設定モードを変更し忘れたとしても、無線通信ユニット１１０が自動的に音を出すことがはばかられる場所と判断し、無線通信ユニット１１０の警報通知モード及び携帯端末装置１３０の設定モードの変更を行うので、ユーザの利便性を向上させることができる。
【００６５】
なお、ステップＳＴ２０２及びステップＳＴ２０４は、必ずしも実行する必要はなく、単にモードの設定が変更されるだけでもよい。
【００６６】
また、本実施の形態３の動作は必ずしも毎回実行される必要はなく、認証信号（識別コード信号）を数回送る毎に実行されても良い。
【００６７】
本発明の第１の態様は、第１の送信器と第１の受信器とを有し前記第１の送信器が識別コード信号を一定の強度で送信する無線通信ユニットと、対象機器に付設され第２の受信器と第２の送信器とを有する無線認証部と、を具備し、前記無線認証部は、前記無線通信ユニットからの前記識別コード信号が自己のものである場合に前記第２の送信器が前記識別コード信号を受けたことを示す確認コード信号を一定の強度で送信すると共に前記識別コード信号の受信レベルが所定値より大きい時に使用制限を解除する使用制限解除信号を前記対象機器に送信し、かつ、前記識別コード信号の受信レベルが前記所定値以下となった時に前記使用制限解除信号の送信を停止し、前記無線通信ユニットは、前記無線認証部からの前記確認コード信号を受けなくなった時に警報を通知する機器の使用制限システムにおいて、前記無線認証部は、前記対象機器が着信を通知するための音を発生する通常モードに設定された時に前記通常モードに設定されたことを示す設定通常モード通知信号を生成して前記無線通信ユニットに送信する手段と、前記対象機器が着信を通知するための音を発生しないマナーモードに設定された時に前記マナーモードに設定されたことを示す設定マナーモード通知信号を生成して前記無線通信ユニットに送信する手段と、を具備し、前記無線通信ユニットは、前記設定通常モード通知信号を受けた時に前記警報を音で通知する通常モードに設定する手段と、前記設定マナーモード通知信号を受けた時に前記警報を音で通知しないで振動又は光で通知するマナーモードに設定する手段と、を具備する構成を採る。
【００６８】
この構成によれば、無線認証部は対象機器が着信を通知するための音を発生しないマナーモードに設定された時に前記マナーモードに設定されたことを示す設定マナーモード通知信号を生成して無線通信ユニットに送信する手段を具備し、前記無線通信ユニットは前記設定マナーモード通知信号を受けた時に前記警報を音で通知しないで振動又は光で通知するマナーモードに設定する手段を具備するため、電車の中又は映画館などの音を出すのが憚られる場所においても機器の使用制限システムを安心して使用することができる。
【００６９】
本発明の第２の態様は、本発明の第１の態様において、前記無線認証部は、前記対象機器がＯＦＦモードに設定された時にＯＦＦモード通知信号を生成して前記無線通信ユニットに送信する手段と、を具備し、前記無線通信ユニットは、前記ＯＦＦモード通知信号を受けた時に前記警報を音で通知しなで振動又は光で通知するマナーモードに設定する手段と、を具備する構成を採る。
【００７０】
この構成によれば、本発明の第１の態様の効果に加えて、無線認証部は、対象機器がＯＦＦモードに設定された時にＯＦＦモード通知信号を生成して無線通信ユニットに送信する手段と、を具備し、前記無線通信ユニットは、前記ＯＦＦモード通知信号を受けた時に警報を音で通知しなで振動又は光で通知するマナーモードに設定する手段と、を具備するため、電車の中又は映画館などの音を出すのが憚られる場所においても機器の使用制限システムを安心して使用することができる。
【００７１】
本発明の第３の態様は、本発明の第１の態様又は第２の態様において、前記無線通信ユニットの前記通常モード及び前記マナーモードを前記対象機器の表示装置に表示させる手段を具備する構成を採る。
【００７２】
この構成によれば、本発明の第１の態様又は第２の態様の効果に加えて、無線通信ユニットの通常モード及びマナーモードを対象機器の表示装置で視認できる。
【００７３】
本発明の第４の態様は、本発明の第１の態様から第３の態様のいずれかにおいて、前記無線通信ユニットの前記通常モード及び前記マナーモードのいずれかが前記マナーモード及び前記通常モードのいずれかに変更されたことを前記対象機器のスピーカで音声によって通知させる手段を具備する構成を採る。
【００７４】
この構成によれば、本発明の第１の態様から第３の態様のいずれかの効果に加えて、無線通信ユニットの通常モード及びマナーモードのいずれかが前記マナーモード及び前記通常モードのいずれかに変更されたことを対象機器のスピーカで音声によって確認することができる。
【００７５】
本発明の第５の態様は、本発明の第１の態様から第４の態様のいずれかにおいて、前記無線通信ユニットの前記通常モード及び前記マナーモードを時刻に応じて変更するように設定する手段を具備する構成を採る。
【００７６】
この構成によれば、本発明の第１の態様から第４の態様のいずれかの効果に加えて、無線通信ユニットの通常モード及びマナーモードを時刻に応じて変更するように設定することができる。
【００７７】
本発明の第６の態様は、本発明の第１の態様から第５の態様のいずれかにおいて、前記無線通信ユニットは、前記警報を通知するスピーカ、振動手段及び表示手段を具備し、前記警報をスピーカ、振動手段及び表示手段の少なくとも１つで通知することを選択する選択手段を具備する構成を採る。
【００７８】
この構成によれば、本発明の第１の態様から第５の態様のいずれかの効果に加えて、警報をスピーカ、振動手段及び表示手段の少なくとも１つで通知することを選択することができる。
【００７９】
本発明の第７の態様は、本発明の第１の態様から第６の態様のいずれかにおいて、前記無線通信ユニットは、所定時間ごとに自己以外宛の受信信号の数を測定して受信信号数測定値を生成する受信信号数測定手段と、前記受信信号数測定値が所定の数以上であるか否かを判断して判断結果を生成する受信混雑状況判断手段と、前記受信信号数測定値が所定の数以上であることを示している時に前記マナーモードを設定するマナーモード設定手段と、を具備する構成を採る。
【００８０】
この構成によれば、本発明の第１の態様から第６の態様のいずれかの効果に加えて、所有者が対象機器の設定モードを変更し忘れたとしても、無線通信ユニットが自動的に音を出すことがはばかられる場所と判断し、無線通信ユニットの警報通知モード及び携帯端末装置の設定モードの変更を行うので、ユーザの利便性を向上させることができる。
【産業上の利用可能性】
【００８１】
本発明は、電車の中又は映画館などの音を出すのが憚られる場所においても機器の使用制限システムを安心して使用することができる効果を有し、機器の使用制限システムに有用である。
【図面の簡単な説明】
【００８２】
【図１】本発明の実施の形態１に係る機器の使用制限システムの構成を示すブロック図
【図２】本発明の実施の形態１に係る機器の使用制限システムの設定モード記憶部のデータ例を説明するための図
【図３】本発明の実施の形態２に係る機器の使用制限システムにおけるモードの設定の動作の１例を説明するための図
【図４】本発明の実施の形態２に係る機器の使用制限システムにおけるモードの設定の動作の他の例を説明するための図
【図５】本発明の実施の形態３に係る機器の使用制限システムの無線通信ユニットの構成を示すブロック図
【図６】本発明の実施の形態３に係る機器の使用制限システムにおける無線通信ユニットのモードの設定の動作を説明するためのフロー図
【図７】本発明の実施の形態１とは異なる本発明の実施の形態３に係る機器の使用制限システムにおける無線認証部の動作を説明するためのフロー図
【符号の説明】
【００８３】
１００、５００  機器の使用制限システム
１１０  無線通信ユニット（キー通信ユニット）
１２０  無線認証部
１３０  携帯端末装置
１１１  アンテナ
１１２  無線認証部
１１３  選択部
１１４  警報通知部
１１５  電池
１１２１  送受信部
１１２２  ＩＤ記憶部
１１２３  制御部
１１４１  スピーカ
１１４２  振動部
１１４３  表示部
１２１  アンテナ
１２２  送受信部
１２３  設定モード記憶部
１２４  ＩＤ記憶部
１２５  制御部
１３１  アンテナ
１３２  送受信部
１３３  制御部
１３４  操作入力部
１３５  スピーカ
１３６  振動部
１３７  表示部
１３８  マイクロフォン
１３９  送信データ生成部
５００  使用制限システム
５１０  無線認証部
５１１  制御部
５１２  受信信号数測定部
５１３  受信混雑状況判断部
【図１】
2007020012.tif 000003
【図２】
2007020012.tif 000004
【図３】
2007020012.tif 000005
【図４】
2007020012.tif 000006
【図５】
2007020012.tif 000007
【図６】
2007020012.tif 000008
【図７】
2007020012.tif 000009